(57)【要約】【課題】着用時の履き心地が良く、使い勝手の優れた靴用ヌードソックスを提供する。【解決手段】ヌードソックス１は左右対称型をしつつその前後方にそれぞれ韓国固有の足袋の幅形のソックスの胴体２が具備され、該ソックスの胴体２の底部３をなす下端中心に中央凹部４が形成され、中央凹部４を中止に左右対称に一定曲率を有する第１縫い部５と第２縫い部６がそれぞれ形成され、ソックスの胴体２の上部をなすソックスの首７が下向きにラウンドされ凹んだ形態に形成され、ソックスの首７の周りに弾力を有するバンド８が設けられる一方、ソックスの胴体２の底部３に綿織物よりなる補助敷き９が織造されソックスの胴体２から発生する湿気を吸収できる構造である。ヌードソックスによって靴下を履かずに靴のような履き物を履かなくても良いので、足からの不快感や足から発生する各種の疾病を防止できる。【選択図】図５
2004530804.tif 000002
【特許請求の範囲】
【請求項１】
左右対称型をしつつその前後方にそれぞれ韓国固有の足袋の幅形の突出した形状を有するソックスの胴体(2)が備えられ、該ソックスの胴体(2)の底部(3)をなす下端中心に中央凹部(4)が形成され、前記中央凹部(4)を中止に左右対称に一定した曲率を有する第１縫い部(5)と第２縫い部(6)がそれぞれ形成され、前記ソックスの胴体(2)の上部をなすソックスの首(7)が下向きにラウンドされ凹んだ形態に形成され、前記ソックスの首(7)の周りに弾力を有するバンド(8)が設けられる靴用ヌードソックス。
【請求項２】
前記ソックスの胴体(2)の底部(3)に綿織物よりなる補助敷き(9)が織造されソックスの胴体(2)の底部(3)から発生する湿気を吸収できるようにされることを特徴とする請求項１に記載の靴用ヌードソックス。
【請求項３】
前記ソックスの胴体(2)に加わる弾力の方向がソックスの胴体(2)の底部(3)を中心に上向きに加わり、それぞれの弾力方向が８字形をなしながら前記バンド(8)側に加えられるようになることを特徴とする請求項１に記載の靴用ヌードソックス。
【発明の詳細な説明】
【技術分野】
【０００１】
本発明は、靴を履くとき着用するソックスに係り、さらに詳しくは靴下を履かず靴を履く場合、靴内の足から発生する各種の不快感を除去すると共に、足の中間部までだけちょっとカバーすることによって靴の外部にソックスがはみ出ることを防止できるようになる靴用ヌードソックス(Nude socks in shoes)に関する。
【背景技術】
【０００２】
一般にソックスやストッキングの場合履き物を履くとき足からの不快感を無くすことと共、一層着こなしを良くするために多様な種類が開発され販売中であるところ、ユーザの好みによってソックスやストッキングを好んで履く場合もあり、靴下を履かずに履き物を履く場合もある。
【０００３】
すなわち、近来主に若者達の中で着こなしや季節的な原因によってソックスやストッキングを履かないまま靴を履いて歩くことが流行っているところ、これはさらにナチュラルで活発に見せたいという若者達の好みを示す現象である。
【０００４】
ところが、前述したように靴下を履かずに靴を履いて歩行すれば、歩行中に足が汗染みになり、よって足の臭いが強いので気になるだけではなく、周りの人に酷い不快感を与える場合があり、裸足で靴を履いたり脱いだりすると履きづらくなるだけではなく、脱ぐ時もスムーズに脱げない不便があった。
【０００５】
そして、長時間靴下を履かずに靴を履いていれば、足指が曲がるか足のあちこちに胼胝ができて美観を損なうだけではなく健康にも悪影響を及ぼし、水虫のような色々の疾病を発生させる問題点があった。
【０００６】
したがって、前述した欠点を補おうと図１に示したようなフットカバーが開発され使用されているところ、このフットカバー１００は伸縮性のある材質のフットカバーのボディ１０１が足の入れるフットカバーの首１０２を有しながら成形され、前記フットカバーのボディ１０１の底部には１字形を有する縫い部１０３が形成され、前記フットカバーの首１０２の周りには弾力を有するバンド１０４が縫い合わせられた構造である。
【０００７】
従って、前記構造よりなる従来のフットカバー１００を履いた状態で靴を履くと図２に示した状態になるところ、この際は前記フットカバー１００によって足は保護できるが、図面に示した通りフットカバー入口１０２が靴１０５の胴体の高さより高いので、フットカバー１００の一部が靴１０５の外部にはみ出る短所があった。
【０００８】
すなわち、前述したようにフットカバー１００の一部が靴１０５の外側にはみ出るので、着こなしや靴の格好は悪くなってユーザがその使用を避ける短所がある。
【０００９】
従って、前述したフットカバー１００を補おうと図３に示したような他の形態のフットカバー１００’が作られて使用されているところ、このようなフットカバー１００’の場合、着用時その高さを減少させるためにフットカバーのボディ１０１’の底部１０６が平面をなしながら成形され、前記底部１０６の前後方にフットカバー１００’の形態を維持するための縫い部１０３’がフットカバー１００の形態に沿ってラウンドされた状態にそれぞれ形成され、前記フットカバーのボディ１０１’の上部にフットカバーの首１０２’が前記底部１０６と類似した形態にオープンされた状態を維持しつつ形成され、前記フットカバーの首１０２’の周りには弾力を有するバンド１０４’が縫い合わせられた構造である。
【００１０】
ところが、前述した構造よりなるフットカバー１００’はそのフットカバーのボディ１０１’の高さを減少させて靴１０５を履いても外部にはみ出ない長所があるが、前記フットカバーのボディ１０１’の高さを減少させるためにその底部１０６が平らな状態に製作されるため、フットカバーの首１０２’に縫い合わせられたバンド１０４’の弾力が劣化し、これによりユーザが前記フットカバー１００’を着用した状態で靴１０５を脱ぐ場合、フットカバー１００’も共に脱げるなどの不便があった。
【発明の開示】
【発明が解決しようとする課題】
【００１１】
本発明は前述した諸般事情を勘案して案出されたもので、その目的は着用時それ自体の弾力によって履き心地を良くすると共に、靴の外部にはみ出ないよう作られることによってユーザに一層使い勝手を良くするようになった靴用ヌードソックスを提供するところにある。
【課題を解決するための手段】
【００１２】
前述したような目的を達成するための本発明は、左右対称型をしつつその前後方にそれぞれ韓国固有の足袋の幅のように突出した形状を有するソックスの胴体が備えられ、前記ソックスの胴体の底部をなす下端の中心に中央凹部が形成され、前記中央凹部を中心に左右対称に一定した曲率を有する第１縫い部と第２縫い部がそれぞれ形成され、前記ソックスの胴体の上部をなすソックスの首が下向きにラウンドされ凹んだ形態に形成され、前記ソックスの首の周りに弾力を有するバンドが設けられた構造である。
【００１３】
そして、前記ソックスの胴体の底部に綿織物よりなる補助敷きが織造されソックスの胴体の底部から発生する湿気を吸収できるようになるものである。
【００１４】
また、前記ソックスの胴体に加わる弾力の方向がソックスの胴体の底部を中心に上向きに加わり、それぞれの弾力方向が８字形をなしながら前記バンド側に加えられるようになるものである。
すなわち、前述した構造よりなるヌードソックスの場合、着用時足裏と足指及び踵ほどだけを包めるので靴を履いてもソックスが靴の外部に全くはみ出ず、またソックスの弾力が８字方向に働きながら足を締めるので脱げ難くなる。
【発明の効果】
【００１５】
以上のように本発明のヌードソックスによって靴下を履かずに靴のような履き物を履かなくても良いため、足からの不快感や足から発生する各種疾病を未然に防止することができ、ヌードソックスの着用時履き心地が良いので、歩く時や靴を脱ぐ場合ソックスが脱げることによって発生する不便を解消することができ、ヌードソックスの構造上靴を履いても外部から見えないため着こなしや履き物の格好を良くする。
【発明を実施するための最良の形態】
【００１６】
以下、添付した図面に基づき本発明をさらに詳述する。
【００１７】
図４は本発明に係る靴用ヌードソックスを示した斜視図であり、図５は本発明に係るヌードソックスを着用した状態を示した斜視図であり、図６は本発明に係るヌードソックスの底部を示した状態図であり、図７は本発明に係るヌードソックスの弾力が加わる状態を示した状態図であり、図８は本発明に係るヌードソックスの他の実施例を示す斜視図であり、図９は本発明に係るヌードソックスの着用後靴を履いた状態を示す状態図である。
【００１８】
前述した図面に基づき本発明の構造を説明すれば、靴１０を履く時着用できるようになったヌードソックス１が備わり、前記ヌードソックス１は左右対称型をしつつその前後方にそれぞれ韓国固有の足袋の幅形の突出された形状を有するソックスの胴体２が備わり、前記ソックスの胴体２の底部３をなす下端の中心に中央凹部４が形成され、前記中央凹部４を中心に左右対称に一定した曲率を有する第１縫い部５と第２縫い部６がそれぞれ形成され、前記ソックスの胴体２の上部をなすソックスの首７が下向きにラウンドされ凹んだ形状に形成され、前記ソックスの首７の周りに弾力を有するバンド８が設けられる一方、前記ソックスの胴体２の底部３に綿織物よりなる補助敷き９が織造され、ソックスの胴体２から発生する湿気を吸収できるようにされた構造である。
【００１９】
そして、前述した構造よりなるヌードソックス１は前記ソックスの胴体２に加わる弾力の方向がソックスの胴体２の底部３を中心に上向きに加わり、それぞれの弾力方向が８字形をなしながら前記バンド８側に加えられるようになったところにその特徴がある。
【００２０】
すなわち、前記ヌードソックス１はポリウレタン系弾性繊維よりなるソックスの胴体２が足裏と足指及び踵を包むように成形され、前記ソックスの胴体２の前後方がそれぞれ対称に韓国固有の足袋の幅の形状をなし、前記ソックスの胴体２の底部３に中央凹部４を中心に左右対称に一定した曲率を有する第１縫い部５と第２縫い部６がそれぞれ形成され、足が挿入されるソックスの首７が下向きに凹んでラウンド処理された状態を維持しつつその周りに弾力を有するバンド８が設けられる。
【００２１】
従って、図４及び図５に示した通り、前述した構造よりなるヌードソックス１の場合、着用時足裏と足指及び踵程度だけを包むようになって靴１０を履いてもソックスが靴１０の外部に全くはみ出なく、またヌードソックス１の弾力が８字方向に働きながら足を締めるので脱げ難くなる。
【００２２】
一方、図６は前記ヌードソックス１の底部３に補助敷き９が付着されたことを示す図であって、特にストッキングと類似した材質で織られたヌードソックス１の場合は汗吸収力に欠けていることから、前記補助敷き９を通して汗をさらに良好に吸収できるところ、前記補助敷き９は綿糸で二重織造してソックスの胴体２の底部３に固定されることによってナイロンストッキング材質から発生する不快感を最小化することができる。
【００２３】
そして、図７に示した通り前記ヌードソックス１の着用時その弾力が８字形に加わりながらヌードソックス１がユーザの足に密着できるようにされたもので、前記原理はリング状のゴム紐を捩って８字形をなすようにした状態で、もしその前方と後方に足元と踵が固定されれば、前記ゴム紐の交差点を中心に引っ張り合う力が発生することによって足指をしっかり締めなくても履き心地が良く、また足裏の中央部であるアーチ部分で二面に分けられた底部３を通して弾力が発生される。
【００２４】
従って、前述したようにヌードソックス１の弾力が８字形に加わるため、底部３に下向きに曲率を有する前記第１縫い部５と第２縫い部６が形成される。
【００２５】
また、前記ヌードソックス１の場合靴１０だけではなく運動靴にも適用できるところ、図８に示した運動靴用ヌードソックス１’によって運動靴を履いて活動してもソックスが見えないようにすることができる。
【００２６】
従って、前述したヌードソックス１によって図９に示したように靴１０を履いて活動してもユーザの足を包みながらも外部にはみ出ないため、ユーザに一層向上された便利を提供することができる。
【産業上の利用可能性】
【００２７】
以上説明した通り、本発明に係る靴用ヌードソックスによれば、靴下を履かずに靴などのような履き物を履かなくても良いので、足からの不快感や足から発生する各種疾病を未然に防止でき、ヌードソックスの着用時履き心地が良いので、歩く時や靴を脱ぐ場合ソックスが脱げることによって発生する不便を解消することができ、ヌードソックスの構造上靴を履いても靴の外部へはみ出ないので着こなしや履き物の格好を良くする効果がある。
【図面の簡単な説明】
【００２８】
【図１】従来の技術によるフットカバーを示す斜視図である。
【図２】図１のフットカバーを着用した状態を示した斜視図である。
【図３】図１の他の実施例を示した斜視図である。
【図４】本発明に係る靴用ヌードソックスを示した斜視図である。
【図５】本発明に係るヌードソックスを着用した状態を示した斜視図である。
【図６】本発明に係るヌードソックスの底部を示した状態図である。
【図７】本発明に係るヌードソックスの弾力が加わる状態を示した状態図である。
【図８】本発明に係るヌードソックスの他の実施例を示した斜視図である。
【図９】本発明に係るヌードソックスの着用後靴を履いた状態を示した状態図である。
【符号の説明】
【００２９】
１…ヌードソックス
１’…運動靴用ヌードソックス
２…胴体
３…底部
４…中央凹部
５…第１縫い部
６…第２縫い部
７…ソックスの首
８…バンド
９…補助敷き
１０…靴
１００、１００’…フットカバー
１０１、１０１’…フットカバーのボディ
１０２、１０２’…フットカバーの首
１０３、１０３’…縫い部
１０４、１０４’…バンド
１０５…靴
１０６…底部
【図１】
2004530804.tif 000003
【図２】
2004530804.tif 000004
【図３】
2004530804.tif 000005
【図４】
2004530804.tif 000006
【図５】
2004530804.tif 000007
【図６】
2004530804.tif 000008
【図７】
2004530804.tif 000009
【図８】
2004530804.tif 000010
【図９】
2004530804.tif 000011
【国際公開パンフレット】
2004530804.tif 000012
2004530804.tif 000013
2004530804.tif 000014
2004530804.tif 000015
2004530804.tif 000016
2004530804.tif 000017
2004530804.tif 000018
2004530804.tif 000019
2004530804.tif 000020
2004530804.tif 000021
2004530804.tif 000022
2004530804.tif 000023
2004530804.tif 000024
【国際調査報告】
2004530804.tif 000025